(57)【要約】【課題】  電線に向かって伸びるボディ側端子のプレート部に電線側端子を接続固定することができ、しかも、電線側端子のJ字状導電性プレートの屈曲部がボディ側端子のプレート部に当接することによって電線側端子がボディ側端子から抜け落ちることを禁止することができるコネクタを実現する。【解決手段】  本発明のコネクタは、電線端部をボディに接続固定するためのコネクタであり、ボディに接続固定されるボディ側端子と、電線に接続固定される電線側端子を備えている。ボディ側端子はボディから離反した位置を電線方向に向かって伸びる導電性プレート部を備えており、そのプレート部には貫通孔が形成されている。電線側端子はJ字状に屈曲した導電性プレート部を備えている。そのプレート部の長片の端部に電線端部が接続固定されるとともに、そのプレート部の短片が前記貫通孔を通過する形状に形成されている。【選択図】  図１
2005222865.tif 000002
【特許請求の範囲】
【請求項１】
電線端部をボディに接続固定するコネクタであり、
ボディに接続固定されるボディ側端子と、電線に接続固定される電線側端子を備えており、
ボディ側端子はボディから離反した位置を電線方向に向かって伸びる導電性プレート部を備えており、そのプレート部には貫通孔が形成されており、
電線側端子はJ字状に屈曲した導電性プレート部を備えており、そのプレート部の長片の端部に電線端部が接続固定され、そのプレート部の短片が前記貫通孔を通過する形状に形成されていることを特徴とするコネクタ。
【請求項２】
電線側端子は前記貫通孔に嵌合することによって電線側端子の導電性プレート部とボディ側端子の導電性プレート部が相対移動することを禁止する嵌合部材を有することを特徴とする請求項１のコネクタ。
【請求項３】
前記嵌合部材は電線側端子の導電性プレート部に揺動自在であることを特徴とする請求項２のコネクタ。
【請求項４】
電線側端子のJ字状に屈曲した導電性プレート部の内面の長片と短片と屈曲部の三箇所に突条が形成されていることを特徴とする請求項３のコネクタ。
【請求項５】
前記嵌合部材が前記貫通孔に嵌合すると、電線側端子の導電性プレート部の屈曲部に形成されている突条が前記貫通孔を画定する壁に押付けられることを特徴とする請求項４のコネクタ。
【発明の詳細な説明】
【技術分野】
【０００１】
本発明は、電線端部をボディに接続固定するために用いられるコネクタに関する。ここで、接続とは導体間の導通を確保することをいい、固定とは相対変位不能に機械的に拘束することをいう。
【背景技術】
【０００２】
電線端部をボディに接続固定する機会が多い。例えば、アース線端部を自動車のボディに接続固定したり、信号線端部をエンジンブロックに接続固定したりすることが多い。ここでいうボディは、電線端部を固定しておきたい機械部材であると同時に電線端部を接続して電位を等しくしたい導体部材でもある部材を総称し、自動車ボディやエンジンブロック等を含む。
電線端部をボディに接続固定するために、貫通孔を持つ板状の電線側端子を電線端部に接続固定し、その貫通孔を貫通するボルトをボディに締付けることによって、電線端部をボディに接続固定することが多い。電線端部をボディに接続固定したり取外したりするためには、ボルトを回転させたり緩めたりする必要があり、作業に時間を要する。
そこで、ボルトを用いないで電線端部をボディに接続固定する技術が開発され、その一例が特許文献１に記載されている。特許文献１に記載の技術では、ボディに接続固定されるボディ側端子と、電線に接続固定される電線側端子によって、コネクタを構成する。ボディ側端子はクランク形状に形成され、ボディから離反して宙を伸びる導電性プレート部を備えている。電線側端子はJ字状に屈曲した導電性プレート部を備えており、そのプレート部の長片の端部に電線端部が接続固定されている。J字状に屈曲した電線側端子の導電性プレート部によって、宙を伸びるボディ側端子の導電性プレート部を挟持することによって、電線端部がボディに接続固定される。
特許文献１のコネクタでは、電線が引っ張られると、電線側のJ字状導電性プレートがボディ側のプレート部に深く嵌り込む。さらに引っ張られると、電線側のJ字状導電性プレート部の屈曲部がボディ側のプレート部に当接するために、電線が強く引っ張られても電線側端子がボディ側端子から抜け落ちることが禁止される。
【特許文献１】特開平０９−１６１８６１号公報
【発明の開示】
【発明が解決しようとする課題】
【０００３】
上記の従来のコネクタでは、電線側端子のJ字状導電性プレートの屈曲部がボディ側端子のプレート部に当接することによって、電線側端子がボディ側端子から抜け落ちることを禁止する。極めて合理的であり、電線側端子がボディ側端子から抜け落ちることをほぼ完全に禁止することができる。
しかしながら、電線側端子のJ字状導電性プレートの屈曲部がボディ側端子のプレート部に当接することによって抜け落ちることを禁止する構造では、ボディ側端子のプレート部が電線から遠ざかる側に伸びなければならない。電線に向かって伸びるボディ側端子のプレート部に電線側端子を接続固定する場合には短い電線ですむのにたいし、電線から遠ざかる側に伸びるボディ側端子のプレート部に電線側端子を接続固定するためにはそれだけ長い電線が必要とされる。
本発明は、電線に向かって伸びるボディ側端子のプレート部に電線側端子を接続固定することができ、しかも、電線側端子のJ字状導電性プレートの屈曲部がボディ側端子のプレート部に当接することによって電線側端子がボディ側端子から抜け落ちることを禁止することができるコネクタを実現することを目的とする。
【課題を解決するための手段】
【０００４】
本発明のコネクタは、電線端部をボディに接続固定するためのコネクタであり、ボディに接続固定されるボディ側端子と、電線に接続固定される電線側端子を備えている。ボディ側端子はボディから離反した位置を電線方向に向かって伸びる導電性プレート部を備えており、そのプレート部には貫通孔が形成されている。電線側端子はJ字状に屈曲した導電性プレート部を備えている。そのプレート部の長片の端部に電線端部が接続固定されるとともに、そのプレート部の短片が前記貫通孔を通過する形状に形成されている。
本発明のコネクタによると、電線側端子の導電性プレート部の短片を、電線側に向かって伸びるボディ側端子に形成されている貫通孔を通過させ、その後に電線側端子の全体を電線側に向かって移動させることができる。この結果、J字状に屈曲した電線側の導電性プレート部がボディ側の導電性プレート部を挟持して接続固定することが可能となる。しかも、貫通孔を利用するために、ボディ側端子は電線方向に向かって伸びていればよい。電線が引っ張られると、電線側の導電性プレートの屈曲部が、電線方向に向かって伸びるボディ側端子の貫通孔の先端側の壁に当接するために抜け落ちることを禁止するができ、抜け落ちるのを禁止するためにボディ側端子を電線から遠ざかる側に伸ばす必要がない。
本発明のコネクタによると、電線に向かって伸びるボディ側端子のプレート部に電線側端子を接続固定することができ、しかも、電線側端子のJ字状導電性プレートの屈曲部がボディ側端子のプレート部に当接することによって電線側端子がボディ側端子から抜け落ちることを禁止することができる。
【０００５】
ボディ側の導電性プレート部を挟持する電線側の導電性プレート部が電線から遠ざかる側に移動することを禁止することができれば、さらに信頼性が高められる。
そのためには、前記貫通孔に嵌合することによって電線側端子の導電性プレート部とボディ側端子の導電性プレート部が相対移動することを禁止する嵌合部材を電線側端子に設けることが好ましい。
電線側端子の嵌合部材が貫通孔に嵌合して電線側端子の導電性プレート部とボディ側端子の導電性プレート部が相対移動することを禁止すると、電線から電線側端子を押し出す力が作用しても、電線側端子がボディ側端子から抜け出すことを禁止することができる。
【０００６】
その嵌合部材は、電線側端子の導電性プレート部に揺動自在であることが好ましい。嵌合部材が揺動自在であると、電線側端子の導電性プレート部の短片をボディ側端子の貫通孔を通過させてから電線側に向かって移動させる動作と嵌合部材が干渉することを防止することができる。なお、嵌合部材が変形できるようにしておいても、前記動作と嵌合部材が干渉することを防止することができるために、揺動自在とすることが不可欠ではない。
【０００７】
電線側端子のJ字状に屈曲した導電性プレート部の内面に突条が形成されていることが好ましい。特に長片と短片と屈曲部の三箇所に突条が形成されていることが好ましい。
前記三箇所に突条が形成されていると、ボディ側端子の３方向から電線側端子が線接触することになる。この場合、電気的導通の信頼性が高い。線接触する構造は、面接触する構造に比して接触圧が確保し易く、点接触する構造に比して接触範囲を確保しやすく、電線側端子とボディ側端子を確実に接続固定するのに適している。３方向から線接触すると、電線側端子とボディ側端子をさらに確実に接続固定することができる。
【０００８】
嵌合部材が貫通孔に嵌合すると、電線側端子の導電性プレート部の屈曲部に形成されている突条が貫通孔を画定する壁に押付けられる寸法関係に設定されていることが極めて好ましい。
この場合、電線から電線側端子を押し出す力が作用しても、電線側端子がボディ側端子から抜け出すことを禁止することができ、しかも、ボディ側端子の３方向から電線側端子が線接触する状態を維持することができる。
【発明の効果】
【０００９】
本発明によると、電線に向かって伸びるボディ側端子のプレート部に電線側端子を接続固定することができるために、短い電線で接続固定することが可能となる。電線束（ワイヤハーネス）の重量軽減に顕著な効果が得られる。本発明によると、短い電線を利用しながら、電線側端子のJ字状導電性プレートの屈曲部がボディ側端子のプレート部に当接することによって電線側端子がボディ側端子から抜け落ちることを確実に禁止することができる。
【発明を実施するための最良の形態】
【００１０】
以下、本発明を具現化した実施例について図面を参照して説明する。
【実施例】
【００１１】
本発明を具現化したコネクタ１を図１に示す。コネクタ１は、電線Ｖの端部をボディＷに接続固定するために用いられる。コネクタ１は、導電性のボディに接続固定されるボディ側端子２と、電線Ｖに接続固定される電線側端子１２を備えている。
ボディ側端子２は、金属性の板材をクランク状に成形したものである。ボディ側端子２の短片５は円形の開口部を有する。短片５は円形の開口部を利用してボルト８によってボディＷに接続固定される。短片５がボディＷに接続固定されると、ボディ側端子２の長片３は、ボディＷから離反した高さを電線Ｖの方向に向かって伸びる。プレート状の長片３には貫通孔４が形成されている。
電線側端子１２は、金属性の板材をJ字状に屈曲させ、その外側に樹脂性のカバー１４を一体成形したものである。電線側端子１２のJ字状に屈曲した金属性のプレート部２８は、その長片２２の端部１６に電線Ｖの端部が接続固定できるようになっている。そのプレート部２８の短片３０は前記貫通孔４を通過する形状に形成されている。
プレート部２８の内側には空隙が設けられており、プレート部２８の長片２２の内面に突条３２が、短片３０の内面に突条３４が、屈曲部２６の内面に突条３６が形成されている。
【００１２】
図２に示すように、電線側端子１２のプレート部２８の短片３０を、ボディ側端子２の貫通孔４を通過させ、その後に図３に示すように、電線側端子１２の全体を電線Ｖ側に向かって移動させることで、J字状に屈曲したプレート部２８がボディ側端子２の長片３を挟持し、電線側端子１２とボディ側端子２を接続することができる。
電線Ｖが引っ張られると、電線側端子１２のプレート部２８の屈曲部２６が、電線Ｖ方向に向かって伸びるボディ側端子２の貫通孔４の先端側の壁に当接するために、抜け落ちることを禁止する。
電線側端子１２のプレート部２８の屈曲部２６が、ボディ側端子２の貫通孔４の先端側の壁に当接すると、ボディ側端子２の長片３に対し、電線側端子１２のプレート部２８の突条３２、突条３４、突条３６が３方向から線接触する。線接触する構造は、面接触する構造に比して接触圧が確保し易く、点接触する構造に比して接触範囲を確保しやすく、電気的導通の信頼性が高い。本実施例では３方向から線接触しており、電線側端子１２とボディ側端子２は、安定した電気的導通を確保できる。
【００１３】
電線側端子１２の樹脂性のカバー部１４には、嵌合部材４０が結合されている。嵌合部材４０は当たり面４４とラッチ４６を備え、図４に示すように、電線側端子２のプレート部２８がボディ側端子２の貫通孔４を画定する壁を跨いで長片３を挟持し、そのプレート部２８の突条３２、突条３４および突条３６がその長片３に線接触した状態で、その貫通孔４と嵌合可能となるよう調整されている。
電線側端子１２のプレート部２８と嵌合部材４０がボディ側端子２の貫通孔４に嵌合すると、電線側端子１２のプレート部２８とボディ側端子２の長片３は相対移動が禁止され、電線側端子１２とボディ側端子２は接続固定される。電線Ｖから電線側端子１２を押し出す力が作用しても、電線側端子１２がボディ側端子２から抜け出すことが禁止される。
【００１４】
嵌合部材４０のラッチ４６は、貫通孔４に嵌合した状態で、貫通孔４を画定する壁から電線Ｖ方向の反力を受けるように、寸法が調整されている。電線側端子２のプレート部２８がボディ側端子２の貫通孔４を画定する壁を跨いで長片３を挟持し、嵌合部材４０が貫通孔４に嵌合すると、プレート部２８の屈曲部２６の突条３６は、嵌合部材４０のラッチ４６に作用する電線Ｖ方向の反力によって、貫通孔４を画定する壁に押付けられる。
電線Ｖから電線側端子１２を押し出す力が作用しても、電線側端子１２がボディ側端子２から抜け出すことは禁止され、ボディ側端子２の３方向から電線側端子１２が線接触する状態を維持される。
【００１５】
嵌合部材４０は、カバー部１４にヒンジ結合されている。電線側端子１２のプレート部２８の短片３０をボディ側端子２の貫通孔４に通過させてから電線Ｖ側に向かって移動させる間、嵌合部材４０を適宜揺動させ、ボディ側端子２や電線側端子１２のプレート部２８との干渉を防止することができる。
【００１６】
嵌合部材４０は、カバー部１４に弾性的に結合されていてもよい。例えばカバー部１４と嵌合部材４０は樹脂性の一体成形品としてもよい。この場合図５に示すように、電線側端子１２のプレート部２８の短片３０を、ボディ側端子２の貫通孔４を通過させ、その後に電線側端子１２の全体を電線Ｖ側に向かって移動させ、突条３２、突条３４および突条３６がその長片３に接触するまで、嵌合部材４０がボディ側端子２と干渉しないように撓ませておく。突条３２、突条３４および突条３６がボディ側端子２の長片３に接触したら、嵌合部材４０の撓みを戻し、嵌合部材４０を貫通孔４に嵌合する。
この場合、ヒンジ結合に見られるようなガタがないため、嵌合部材４０による機械的な拘束力のばらつきが低下し、さらに安定した品質を確保することができる。
【００１７】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【００１８】
【図１】コネクタの概要を示す図。
【図２】コネクタの取り付け手順の第１段階を示す図。
【図３】コネクタの取り付け手順の第２段階を示す図。
【図４】コネクタの取り付け手順の第３段階を示す図。
【図５】他のコネクタの取り付け手順の第２段階を示す図。
【図６】他のコネクタの取り付け手順の第３段階を示す図。
【符号の説明】
【００１９】
１・・・コネクタ
２・・・ボディ側端子
３・・・ボディ側端子の長片
４・・・貫通孔
５・・・ボディ側端子の短片
８・・・ボルト
１２・・・電線側端子
１４・・・カバー部
１６・・・プレート部の長片の端部
２２・・・プレート部の長片
２６・・・プレート部の屈曲部
２８・・・電線側端子のプレート部
３０・・・プレート部の短片
３２・・・長片の突条
３４・・・短片の突条
３６・・・屈曲部の突条
４０・・・嵌合部材
４４・・・当たり面
４６・・・ラッチ
【図１】
2005222865.tif 000003
【図２】
2005222865.tif 000004
【図３】
2005222865.tif 000005
【図４】
2005222865.tif 000006
【図５】
2005222865.tif 000007
【図６】
2005222865.tif 000008